(57)【要約】【課題】家具扉の閉鎖経路に装着されて衝撃ノイズを吸収する。【解決手段】家具側壁Ｗと家具扉Ｄとの間にヒンジ結合される家具蝶番１０の掛止孔１４に搭載されて固定され、前記家具扉Ｄの閉止衝撃力を緩衝する流体ダンパ２１を収容した家具蝶番扉緩衝器であって、前記家具蝶番１０に搭載されながら、前記流体ダンパ２１を内蔵し、その下面に前記掛止孔１４に挿入される固定フック１００と遊びフック２００が遊び空間３００を挟んで平行に形成されたダンパアダプタ２０及び、前記ダンパアダプタ２０に搭載されながら、その下面に前記ダンパアダプタ２０の貫通孔５００を経由して前記遊び空間３００に挿入される１つ又はそれ以上の結合突起４００が形成された蓋部材３０を備える。【選択図】図４
2009156020.tif 000002
【特許請求の範囲】
【請求項１】
家具側壁（Ｗ）と家具扉（Ｄ）との間にヒンジ結合される家具蝶番（１０）の掛止孔（１４）に搭載されて固定されながら、前記家具扉（Ｄ）の閉止衝撃力を緩衝する流体ダンパ（２１）を収容した家具蝶番用扉緩衝器であって、
前記家具蝶番（１０）に搭載されながら、前記流体ダンパ（２１）を内蔵し、その下面に前記掛止孔（１４）に挿入される固定フック（１００）と、遊びフック（２００）が遊び空間（３００）を挟んで平行に形成されたダンパアダプタ（２０）と、
前記ダンパアダプタ（２０）に搭載されながら、その下面に前記ダンパアダプタ（２０）の貫通孔（５００）を経由して前記遊び空間（３００）に挿入される１つ又はそれ以上の結合突起（４００）が形成された蓋部材（３０）と
を備え、
前記ダンパアダプタ（２０）の遊びフック（２００）が、前記蓋部材（３０）の結合突起（４００）により直立状態でセットされて前記掛止孔（１４）に掛止されて固定されることを特徴とする家具蝶番用扉緩衝器の固定装置。
【請求項２】
前記遊びフック（２００）は、
前記固定フック（１００）の幅方向に沿って両側部又は一側部に形成されることを特徴とする請求項１に記載の家具蝶番用扉緩衝器の固定装置。
【請求項３】
前記遊びフック（２００）は、
前記固定フック（１００）の長さ方向に沿って両側部又は一側部に形成されることを特徴とする請求項１に記載の家具蝶番用扉緩衝器の固定装置。
【請求項４】
前記遊び空間（３００）は、
前記結合突起（４００）の厚さと対応する幅で形成されることを特徴とする請求項１に記載の家具蝶番用扉緩衝器の固定装置。
【請求項５】
前記遊びフック（２００）は、
前記掛止孔（１４）のフランジ部（１４ａ）に掛止されて固定される掛止段（２１０）が一体に形成されることを特徴とする請求項１に記載の家具蝶番用扉緩衝器の固定装置。
【発明の詳細な説明】
【技術分野】
【０００１】
本発明は家具扉の閉じ経路に装着されて衝撃ノイズを吸収する扉緩衝器に関し、特に、扉緩衝器の掛止構造を変更して扉緩衝器の設置及び分離による作業荷重及び作業工数を最小化できるようにした家具蝶番用扉緩衝器の固定装置に関する。
【背景技術】
【０００２】
一般に、扉緩衝器は衣装だんすやシンク台などのような家具の内壁や前面に装着されて家具扉の閉止過程で発生する衝撃ノイズや接触抵抗などを吸収して緩衝するものであって、この扉緩衝器は家具蝶番の上面や側面に流体ダンパを収容したダンパアダプタを装着して構成する。
【０００３】
例えば、図１に示すように、家具蝶番１０は、家具側壁Ｗと家具扉Ｄとの間にヒンジ連結されて家具扉Ｄの回動手段として用いられ、その上面に流体ダンパ２１を収容したダンパアダプタ２０が搭載されて用いられる。  
【０００４】
そして、図２に示すように、本願の出願人により先に出願された「扉緩衝器（下記の特許文献１参照）」によれば、家具蝶番１０に固定手段により固定されながら、家具蝶番１０の張力調節ボルト１１と固定ボルト１５に対応する多数の点検口２２を有するダンパアダプタ２０及び、前記ダンパアダプタ２０に掛止フック３１により固定されて前記点検口２２を密閉する蓋部材３０からなる。
【０００５】
ここで、図３に示すように、ダンパアダプタ２０の固定手段は、ダンパアダプタ２０の下面に構成されて家具蝶番１０の掛止孔１４に挿入されるフック２７と、ダンパアダプタ２０の下方側にボルトで固定されるか、一体に形成されて家具蝶番１０のフランジ部１７に掛止されて固定される弾性片２８とからなる。
【０００６】
従って、家具蝶番１０にダンパアダプタ２０を固定する場合、家具蝶番のフランジ部１７に弾性片２８を掛けて前記家具蝶番１０の掛止孔１４にフック２７を突き合わせて押し込めば、ダンパアダプタのフック２７が掛止孔１４に挿入されると同時に弾性片２８がフランジ部１７に掛止されて固定される。
【０００７】
逆に、家具蝶番１０からダンパアダプタ２０を分離する場合、前記ダンパアダプタ２０を取って前方側へ若干引きながら、掛止孔１４に挿入されたフック２７を持ち上げて引き出し、弾性片２８を分離する。
【０００８】
ところが、図３に示すように、家具蝶番１０とダンパアダプタ２０がフック２７と弾性片２８により固定される構造としてダンパアダプタ２０を設置する場合、家具蝶番１０の後方掛止段に弾性片２８を掛けた状態で前方側へ引きながら、フック２７を押し込まなければならないので、作業荷重が増大する。
【０００９】
即ち、ダンパアダプタ２０の両側部を手で把持してフック２７と弾性片２８の弾性力以上の強い力で圧迫しなければならないので、ダンパアダプタ２０の設置作業が難しいだけでなく、ダンパアダプタ２０に強い力を加える途中に滑った場合には手に怪我をする恐れがあるという問題があった。
【００１０】
そして、家具蝶番１０に装着されているダンパアダプタ２０を分離する場合、ダンパアダプタ２０を手で握って前方側へ強く圧迫した状態でフック２７の掛止状態を解除しなければ弾性片２８が分離されないので、ダンパアダプタ２０の分離による作業荷重が増大し、不便がもたらされるという不具合があった。
【００１１】
従って、ダンパアダプタ２０の設置及び分解作業において水平方向及び垂直方向に適切な力を加える作業が難しく、熟練者でない一般人の場合、設置及び分解作業が難しいという問題がある。
【００１２】
【特許文献１】韓国特許登録番号第７３１３３５号
【発明の開示】
【発明が解決しようとする課題】
【００１３】
本発明は、かかる事情に鑑みてなされたもので、その目的は、扉緩衝器の掛止構造を変更して扉緩衝器の設置及び分離による作業荷重及び作業工数を最小化できるようにした家具蝶番用扉緩衝器の固定装置を提供することにある。
【課題を解決するための手段】
【００１４】
前記目的を達成するための本発明は、家具側壁と家具扉との間にヒンジ結合される家具蝶番の掛止孔に搭載されて固定されながら、前記家具扉の閉止衝撃力を緩衝する流体ダンパを収容した家具蝶番用扉緩衝器であって、前記家具蝶番に搭載されながら、前記流体ダンパを内蔵し、その下面に前記掛止孔に挿入される固定フックと、遊びフックが遊び空間を挟んで平行に形成されたダンパアダプタ及び、前記ダンパアダプタに搭載されながら、その下面に前記ダンパアダプタの貫通孔を経由して前記遊び空間に挿入される１つ又はそれ以上の結合突起が形成された蓋部材とを備え、前記ダンパアダプタの遊びフックが、前記蓋部材の結合突起により直立状態でセットされて前記掛止孔１４に掛止されて固定される。
【発明の効果】
【００１５】
上述した通り、本発明に係る家具蝶番用扉緩衝器の固定装置によれば、以下のような効果が得られる。
【００１６】
第一に、扉緩衝器の設置及び分解作業がダンパアダプタと蓋部材の相互作用により、ワンタッチ式で行われるので、扉緩衝器の設置及び分解による作業の利便性が向上すると共に、作業荷重が低減される。
【００１７】
第二に、扉緩衝器の設置及び分解作業がたった一回の押圧及び引き作業により行われるので、扉緩衝器の設置及び分解作業を非熟練者でも簡単に行うことができ、手に怪我をするなどの事故が予防される。
【発明を実施するための最良の形態】
【００１８】
以下、本発明に係る実施形態を説明すれば、以下の通りである。
【００１９】
図４は、本発明に係る扉緩衝器の分解状態を示す一実施形態であり、図５は、本発明に係る図４の結合過程を示す図であり、図６は、本発明に係る扉緩衝器の分解状態を示す他の実施形態であり、図７は、本発明に係る図６の結合過程を示す図である。
【００２０】
家具側壁Ｗと家具扉Ｄとの間にヒンジ結合される家具蝶番１０の掛止孔１４に搭載されて固定されながら、前記家具扉Ｄの閉止衝撃力を緩衝する流体ダンパ２１を収容した家具蝶番用扉緩衝器であって、前記家具蝶番１０に搭載されながら、前記流体ダンパ２１を内蔵し、その下面に前記掛止孔１４に挿入される固定フック１００と遊びフック２００が遊び空間３００を挟んで平行に形成されたダンパアダプタ２０及び、前記ダンパアダプタ２０に搭載されながら、その下面に前記ダンパアダプタ２０の貫通孔５００を経由して前記遊び空間３００に挿入される１つ又はそれ以上の結合突起４００が形成された蓋部材３０を備え、前記ダンパアダプタ２０の遊びフック２００が前記蓋部材３０の結合突起４００により直立状態でセットされて前記掛止孔１４に掛止されて固定される。
【００２１】
ここで、本発明は家具側壁Ｗと家具扉Ｄとを連結して家具扉の回動手段として用いる家具蝶番１０と、家具蝶番１０に装着されて家具扉の緩衝手段として用いられるダンパアダプタ２０と、ダンパアダプタ２０に装着されてダンパアダプタの固定手段として用いられる蓋部３０とから構成される。
【００２２】
そして、本実施形態の主要構成要素のうち、従来技術に対応する構成要素である場合は、従来の図面符号を付して説明する。
【００２３】
ここで、家具蝶番１０は、家具側壁Ｗと家具扉Ｄとの間にヒンジ結合されて家具扉Ｄの開閉手段として用いられるものであって、家具側壁Ｗにボルトにより固定される本体部と、前記本体部にヒンジ軸により結合されながら、家具扉Ｄにボルトにより固定される回動部とからなる。
【００２４】
また、家具蝶番１０の上面に前記回動部の張力を調節したり、又は固定力を調節する過程で用いられる１つ又は多数の張力調節ボルト１１と固定ボルト１５が装着され、前記張力調節ボルト１１と前記固定ボルト１５との間に１つ又はそれ以上の掛止孔１４が形成される。
【００２５】
そして、ダンパアダプタ２０は、家具蝶番１０に搭載されて家具扉Ｄの閉止衝撃力を緩衝するものであって、家具蝶番１０の張力調節ボルト１１と固定ボルト１５に対応する位置に点検口２２が形成された本体部と、前記本体部の下面に一体に形成された固定手段とからなる。
【００２６】
また、ダンパアダプタ２０の固定手段は、前記家具蝶番１０の掛止孔１４に挿入される固定フック１００と、前記固定フック１００の側部に平行に形成されると共に、その外壁面に掛止段２１０が形成された遊びフック２００及び、前記固定フック１００と遊びフック２００との間に形成された所定間隔を有する遊び空間３００からなる。
【００２７】
更に、ダンパアダプタ２０には、後述する蓋部材３０の結合突起４００を前記遊び空間３００へ誘導する貫通孔５００が形成される。
【００２８】
また、遊びフック２００は、図４及び図５に示すように、蓋部材３０の幅方向に沿って両側部又は一側部に形成してもよく、図６及び図７に示すように、長さ方向に沿って両側部又は一側部に形成してもよい。
【００２９】
更に、遊びフック２００は、前記遊び空間３００に沿って撓めるように、前記固定フック１００に比べて薄く形成することが好ましい。
【００３０】
また、遊びフック２００は、その外壁面の下部側に前記掛止孔１４に挿入された状態で掛止孔１４の周囲面に形成されたフランジ部１４ａに掛止されて固定される１つ又は多数の掛止段２１０が一体に形成される。
【００３１】
そして、蓋部材３０は、前記ダンパアダプタ２０に装着されて前記張力調節ボルト１１と固定ボルト１５の調節過程で点検口２２を密閉又は開放するものであって、前記ダンパアダプタ２０の上面に搭載される本体部と、前記本体部の下面に一体に形成されて前記ダンパアダプタ２０と結合される固定手段とからなる。
【００３２】
このとき、蓋部材３０の固定手段とは、前記ダンパアダプタ２０の貫通孔５００を経由して前記遊び空間３００に挿入される結合突起４００を意味する。
【００３３】
また、蓋部材３０はその下面に、ダンパアダプタ２０の上面に嵌め込み式で固定される多数の掛止フック３１を形成することが好ましい。
【００３４】
更に、結合突起４００は、前記ダンパアダプタ２０の遊び空間３００に対応する形状及び位置に形成することが好ましく、図４及び図５に示すように、蓋部材３０の幅方向に沿って両側部又は一側部に形成してもよく、図６及び図７に示すように、長さ方向に沿って両側部又は一側部に形成してもよい。
【００３５】
このとき、ダンパアダプタ２０の遊び空間３００は、前記結合突起４００の厚さに対応する幅で形成することが好ましい。
【００３６】
また、ダンパアダプタ２０と蓋部材３０は、プラスチックやゴムなどのように加工性及び弾性力に優れた材質で成形することが好ましい。
【００３７】
以下、本発明に係る作用を説明すれば、以下の通りである。
【００３８】
まず、家具蝶番１０に扉緩衝器を設置する場合、一旦、家具蝶番１０の掛止孔１４に前記ダンパアダプタ２０の固定／遊びフック１００、２００を突き合わせた状態で下方向へ軽く圧縮して押し込む。
【００３９】
このようにすれば、前記家具蝶番１０の上面に突き合わされた前記遊びフック２００が前記遊び空間３００に沿って内側方向に撓みながら、前記掛止孔１４に挿入された後、弾性力により直立状態を維持する。
【００４０】
続いて、前記ダンパアダプタ２０の貫通孔５００に前記蓋部材３０の結合突起４００を突き合わせた状態で軽く押し込めば、前記ダンパアダプタ２０の上面に前記蓋部材３０が結合状態を維持する。
【００４１】
即ち、前記蓋部材３０の結合突起４００が前記ダンパアダプタ２０の貫通孔５００を経由して前記遊び空間３００に挿入されれば、前記遊びフック２００の遊動空間がなくなって直立状態を維持する。
【００４２】
更に、ダンパアダプタ２０に搭載された蓋部材３０が掛止フック３１’により一次的に固定されると共に、遊びフック２００の掛止段２１０が前記掛止孔１４のフランジ部１４ａに掛止されて固定されるので、扉緩衝器の離脱が防止される。
【００４３】
一方、家具蝶番１０から扉緩衝器を分離する場合、一旦、蓋部材３０を上方へ若干持ち上げると、前記ダンパアダプタ２０の遊び空間３００に挿入されていた結合突起４００が容易に引き出される。
【００４４】
このようにすれば、ダンパアダプタ２０の遊びフック２００が遊び空間３００に沿ってある程度の角度で撓める状態であるので、家具蝶番１０から容易にダンパアダプタ２０を分離できる。
【００４５】
従って、前記ダンパアダプタ２０の点検口２２により前記家具蝶番１０の張力調節ボルト１１と固定ボルト１５とを点検した後、ダンパアダプタ２０と蓋部材３０を組立し直して用いることができる。
【図面の簡単な説明】
【００４６】
【図１】従来技術に係る扉緩衝器の設置状態を示す図である。
【図２】従来技術に係る扉緩衝器の分解状態を示す図である。
【図３】従来技術に係る扉緩衝器の結合状態を示す図である。
【図４】本発明に係る扉緩衝器の分解状態を示す一実施形態である。
【図５】本発明に係る図４の結合過程を示す図である。
【図６】本発明に係る扉緩衝器の分解状態を示す他の実施形態である。
【図７】本発明に係る図６の結合過程を示す図である。
【符号の説明】
【００４７】
１０  家具蝶番、１４  掛止孔、２０  ダンパアダプタ、２１  流体ダンパ、２２  点検口、３０  蓋部材、１００  固定フック、２００  遊びフック、２１０  掛止段、３００  遊び空間、４００  結合突起、５００  貫通孔。
【図１】
2009156020.tif 000003
【図２】
2009156020.tif 000004
【図３】
2009156020.tif 000005
【図４】
2009156020.tif 000006
【図５】
2009156020.tif 000007
【図６】
2009156020.tif 000008
【図７】
2009156020.tif 000009